(57)【特許請求の範囲】
【請求項１】
建築物の外面を覆う一次防水構造の下面側に無延伸ポリプロピレンフィルムを主体とした高分子ポリマーシートからなる防水シートを、ビスにより固定し、前記ビスまわりを、非加硫ブチルゴムによりシールしたことを特徴とする建築物等における防水構造。
【請求項２】
前記一次防水構造が、金属板または合成樹脂板及びこれ等の曲げ加工品や成形品からなる屋根であることを特徴とする請求項１記載の建築物等における防水構造。
【発明の詳細な説明】
【０００１】
【発明の属する技術分野】
本発明は、建築物の屋根等の一次防水構造の結露水や決壊による建築物内への漏水を防止するのに好適な建築物等における防水構造に関する。
【０００２】
【従来の技術】
従来の建築物の屋根まわりの構造としては図５にその概要構造を示すものが一般に採用されている。すなわち、建築物３ののじ板６の上面には直接又は防水シート部材８を介して屋根等の一次防水構造４が設けられている。また、一次防水構造４と建築物３の壁７（防水シート部材８を有する）との間には水切り用のアルミ笠木１１が設けられている。なお、一次防水構造４は、瓦をはじめ、アルミニウム、亜鉛、銅、ステンレス等の金属板や塩化ビニール等の合成樹脂材が使用されている。また、一次防水構造４とアルミ笠木１１との接合部にはコーキング材２が充填され、接合部からの漏水を防止している。図示のものでは、のじ板６と壁７との間にもコーキング材２を充填するようにした。
【０００３】
【発明が解決しようとする課題】
一次防水構造４として使用される前記金属板は熱伝導率が高い。例えば、鉄は１４６０，ステンレスは５００，アルミニウムは５０００×１０ー4ｃａｌ／ｓｅｃ／℃／ｃｍ2である。従って、建築物側と外気側との比較的小さな温度差により結露水が生じ、水滴が建築物内に漏れるという問題点がある。
また、一次防水構造４が合成樹脂材の場合には、熱変形が大きいため、合成樹脂材の一次防水構造４とアルミ笠木１１との間に塗布されたコーキング材２が剥がれ、漏水の原因となる。また、金属板の場合でも、金属板の温度差に伴う伸縮作用により、接合部に設けたコーキング材２が剥がれ、漏水の原因となる。
生ずる問題点がある。
【０００４】
本発明は以上の問題点を解決するべく創案されたもので、一次防水構造の結露水や決壊に伴う漏水を防止すると共に、軽量で施工性のよい建築物等における防水構造を提供することを目的とする。
【０００５】
【課題を解決するための手段】
本発明の建築物等における防水構造は、前記課題を解決するべく、建築物の外面を覆う一次防水構造の下面側に無延伸ポリプロピレンフィルムを主体とした高分子ポリマーシートからなる防水シートを、ビスにより固定し、前記ビスまわりを、非加硫ブチルゴムによりシールしたことを特徴とする。
また、請求項２記載の建築物等における防水構造は、前記一次防水構造が、金属板または合成樹脂板及びこれ等の曲げ加工品や成形品からなる屋根であることを特徴とする。
【０００６】
一次防水構造の下面側に、熱伝導率が極めて低い高分子ポリマーシートを用いるため、結露水の発生が防止される。また、高分子ポリマーシートは軽量で、半硬質であり、且つ加工性がよく、施工性の向上が図れる。なお、無延伸ポリプロピレンフィルムは特に結露がしにくく、且つ止水接合材である非加硫ブチル等のシーリング材とは同類の無極性高分子であるためなじみ性もよく、剥離も生じない。なお、一次防水構造としては瓦はもとより、金属板や合成樹脂板のいずれのものを用いる場合に対しても本発明は効果的であり、建築物への漏水が防止される。
【０００７】
【発明の実施の形態】
以下、本発明の建築物等における防水構造の実施の形態を図面を参照して詳述する。
図１及び図２は本発明の概念的構成を示すものである。即ち、建築物３の外表面には一次防水構造４が配設される。この一次防水構造と建築物３との間には本発明の特徴とする防水シート１が介設される。この防水シート１は高分子ポリマーシートからなる。図２は、建築物３と一次防水構造４との間に防水シート部材５が設けられている場合において、この防水シート部材５と一次防水構造４との間に本発明の特徴とする高分子ポリマーシートの防水シート１を設けた場合を示す。以上により、建築物３は防水シート１により覆われることになる。これにより、従来の一次防水構造４のみの場合と異なり、結露水や接合部位の決壊による建築物３内への漏水が完全に防止される。
【０００８】
本例では、高分子ポリマーシートとして無延伸ポリプロピレンシート（以下「ＣＰＰ」と略す）を採用する。ＣＰＰは、分子構造が無定形であり寸法安定性に優れる。また、１５０℃に５００時間養生しても寸法や物性に変化しない耐熱性があり、アルカリや酸の容器として用いられる程、耐薬品性にも優れる。また、熱伝導率も３×１０ー4ｃａｌ／ｓｅｃ／℃／ｃｍ2と極めて低く、自然界では結露水が全く発生しない。厚みも０．４〜０．６ｍｍ程度で充分な強度が得られ、比重も０．９１で軽量であると共に直線方向の曲げ加工がやり易く施工性がよい。また、半硬質のため怪我の心配は少なくＰＬ法に適合するものである。また、例えば粘着テープ類の形態とした定形シーリング材として、非加硫ブチルゴムを用いた場合、ＣＰＰと非加硫ブチルゴムとは分子構造上、夫々炭素が３つと４つの組み合わせで構成されるオレフィン（直鎖高分子）のため相容性が極めてよく、使用されている樹脂材とオイルも共通で接合性が極めてよい。
【０００９】
図３は、のじ板６や壁７を有する建築物３の屋根側に本発明の防水シート１を設けた実施の形態を示す。図示のように、防水シート部材８により覆われているのじ板６と壁７とは支持板９により連結されている。また、壁７には、水切り用のアルミ笠木１１が固定され、アルミ笠木１１には屋根瓦４ａからなる瓦屋根として構成された一次防水構造４が連結されている。なお、一次防水構造４としては前記したような屋根瓦４ａ以外にも、金属板や合成樹脂板やこれ等の折り曲げ品及び成形品が用いられる。
【００１０】
一次防水構造４の屋根瓦４ａとのじ板６との間にはＣＰＰからなる防水シート１が介設される。詳しくは、防水シート１は図示のように、支持板９上に搭載され、ビス１０により支持板９を介してのじ板６や壁７に固定されると共に、のじ板６にはビス１０により直接固定される。
なお、ビス１０まわりからの漏水を防止するために、例えば、図略の非加硫ブチルゴムからなる定形シーリング材の付設部位にビス１０を施工する。防水シート１は前記したように施工性がよいため、図３に示した形状に容易に形成され、取り付けも簡単にできる。
【００１１】
以上の構造の防水シート１を図示のように一次防水構造４の下面側に配置することにより、一次防水構造４及びアルミ笠木１１の結露水による漏水や接合部位の決壊があっても、この防水シート１により建築物３内への漏水が防止される。また、防水シート１自体としても前記のように自然界において結露水は全く生じないため、結露水による漏水は全く生じない。以上により、建築物３内への漏水は完全に防止される。
【００１２】
図４は、本発明の建築物等における防水構造の別の実施の形態を示すものである。
本例では、一次防水構造４として折板屋根が適用される。この折板屋根は、図示のように凹凸状の折板４ｂを互いに重合させて連続的に配列したものである。この折板４ｂからなる一次防水構造４とのじ板６との間には本発明のＣＰＰの防水シート１が介設される。防水シート１は前記のように薄物からなるため、折板４ｂからなる一次防水構造４とのじ板６との間の間隙内に容易に介設することができる。
以上により、前記実施の形態と同様に建築物３内への漏水が完全に防止される。
【００１３】
一次防水構造としては、前記した形態のものに限らない。また、一次防水構造の下面側に設けられる防水シート１の形態も図示のものに限定するものではない。また、非加硫ブチルゴムからなる定形シーリング材２０の適用箇所も前記の位置に限定するものではなく、防水シート１と他の部材との間隙に適宜貼着される。
【００１４】
【発明の効果】
１）本発明の請求項１に記載の建築物等における防水構造によれば、建築物の外面を覆う一次防水構造の下面側に無延伸ポリプロピレンフィルムを主体とした高分子ポリマーシートからなる防水シートを、ビスにより固定し、前記ビスまわりを、非加硫ブチルゴムによりシールしたことにより、一次防水構造の結露水や決壊による建築物内への漏水が防止される。また、高分子ポリマーシートとしてＣＰＰを用いることにより、結露水の完全防止ができる。
２）本発明の請求項２に記載の建築物等における防水構造によれば、一次防水構造として、金属板や合成樹脂板及びこれ等の曲げ加工品や成形品を使用する場合においても本発明が適用され、本発明の適用範囲は広い。
【図面の簡単な説明】
【図１】  本発明の概念的構成図。
【図２】  本発明の概念的構成図。
【図３】  一次防水構造として瓦屋根を採用した場合の本発明の配置を示す部分断面図。
【図４】  一次防水構造として折板屋根を採用した場合の本発明の配置を示す部分断面図。
【図５】  従来の建築物における屋根まわりの防水構造を示す部分断面図。
【符号の説明】
１  防水シート
２  コーキング材
３  建築物
４  一次防水構造
４ａ  屋根瓦
４ｂ  折板
５  防水シート部材
６  のじ板
７  壁
８  防水シート部材
９  支持板
１０  ビス
１１  アルミ笠木
【図１】
0004063967.tif 000002
【図２】
0004063967.tif 000003
【図３】
0004063967.tif 000004
【図４】
0004063967.tif 000005
【図５】
0004063967.tif 000006